(57)【要約】【課題】  飲料容器からの飲みこぼしを抑制することを可能とする。【解決手段】  円形断面の筒状の胴部３と胴部３の端部に取り付けられる天板部５に開口可能な飲み口９を備えた飲料容器１において、胴部３に、飲み口９に隣接して飲み手の下唇を当てるための凹部１７を設け、飲み手が飲み口９に唇を当てて飲料を飲もうとするときに、下唇を凹部１７に当ててフィットさせることができる。このため、飲み口９に口を当てたときに、胴部３と下唇との間に隙間ができにくく、飲みこぼしを抑制することができることを特徴とする。【選択図】  図１
2005255231.tif 000002
【特許請求の範囲】
【請求項１】
筒状の胴部と該胴部の端部に取り付けられる天板部に開口可能な飲み口を備えた飲料容器において、
前記胴部に、前記飲み口に隣接して飲み手の下唇を当てるための凹部を設けたことを特徴とする飲料容器。
【請求項２】
請求項１記載の飲料容器であって、
前記飲料容器を金属プレートにより形成し、該飲料容器に飲料を充填密封した後に外部から外型を押し付けて前記凹部を形成することを特徴とする飲料容器の凹部形成方法。
【請求項３】
請求項１記載の飲料容器であって、
前記筒状の胴部を金属プレートの深絞り加工により形成して後、前記天板部を取り付ける前に一対の外型及び内型で前記胴部の縁を内外で挟み込むことにより前記凹部を形成することを特徴とする飲料容器の凹部形成方法。
【発明の詳細な説明】
【技術分野】
【０００１】
本発明は、ジュース、コーヒー等の飲料容器、飲料容器の凹部形成方法に関する。
【背景技術】
【０００２】
従来の飲料容器としては、例えば図７，図８に示すものがある。図７は飲料容器１０１の斜視図、図８は同断面図である。飲料容器１０１は、例えばアルミ、スチール等で形成された円筒状の胴部１０３と、該胴部１０３の上下部に設けられた天板部１０５、底板部１０７によって密閉状に形成され、内部にジュースやコーヒー等の飲料が収容されるようになっている。
【０００３】
前記天板部１０５には、飲み口１０９が設けられている。飲み口１０９は、切込１１１によって形成された口蓋１１３によって塞がれている。口蓋１１３には、プルリップ１１５が取り付けられている。このプルリップ１１５を指によって引き上げると口蓋１１３を介して切込１１１に力が働き、切込１１１が破れる。切込１１１が破れると口蓋１１３が胴部１０３内側へ入り込み、飲み口１０９が開かれる。この飲み口１０９に飲み手が口を当てることによって、飲料容器１０１内のコーヒーやジュースを飲むことができる。
【０００４】
前記胴部１０３には、前記飲み口１０９に対応して縦長の凹部１１７が設けられている。車の運転中などにおいて、飲料容器１０１を持ったときに指で凹部１１７の位置を確認し、これに対応した位置にある飲み口１０９を容易に確認することができる。従って運転中、飲み口１０９を目によって確認しなくても、その位置を容易に知ることができ、ジュース等を飲み口１０９から的確に飲むことができる。
【０００５】
しかしながら、飲み手が飲み口１０９に唇を当てて飲もうとするとき、飲み手の下唇は胴部１０３の円形の外周にそのまま当たることになり、下唇と胴部１０３外周との間に隙間ができ易く、飲みこぼしを招く恐れがある。特に、子供等は、飲み口１０９から飲む動作が大人ほど上手ではなく、下唇が胴部１０３の外周面にうまくフィットしないことから飲みこぼしを極めて起こし易く、衣類等を汚す頻度が極めて多かった。さらに、女性等が外出先で缶ジュース等を飲もうとするときに、従来の飲料容器では飲みこぼしを起こし易いために、外出用の衣服を汚してしまう恐れがあった。
【０００６】
【特許文献１】特開２００３−１４６３３３号公報
【発明の開示】
【発明が解決しようとする課題】
【０００７】
解決しようとする問題点は、飲みこぼしを起こし易い点である。
【課題を解決するための手段】
【０００８】
本発明は、飲みこぼしを起こし難くするため、胴部に飲み口に隣接して飲み手の下唇を当てるための凹部を設けたことを最も主要な特徴とする。
【発明の効果】
【０００９】
本発明の飲料容器では、胴部に飲み口に隣接して飲み手の下唇を当てるための凹部を設けたため、飲み手が飲み口に唇を当てて飲料を飲もうとするときに、下唇を凹部に当ててフィットさせることができる。このため、飲み口に口を当てたときに、胴部と下唇との間に隙間ができにくく、飲みこぼしを抑制することができる。
【００１０】
本発明の飲料容器の凹部形成方法では、前記飲料容器を金属プレートにより形成し、該飲料容器に飲料を充填、密封した後に外部から外型を押し付けて前記凹部を形成したため、飲み口に合わせて凹部を正確に形成することができる。
【００１１】
本発明の飲料容器の凹部形成方法では、前記円筒状の胴部を金属プレートの深しぼり加工により形成して後、前記天板部を取り付ける前に一対の外型及び内型で前記胴部の縁を内外で挟み込むことにより前記凹部を形成したため、凹部の形状を正確に形成することができる。
【発明を実施するための最良の形態】
【００１２】
飲みこぼしを少なくするという目的を簡単な構造で実現した。
【実施例１】
【００１３】
図１は、本発明の実施例１に係り、（ａ）は飲料容器の平面図、（ｂ）は同側面図、（ｃ）は同正面図である。図１のように、飲料容器１は、例えばアルミ、スチール等によって形成され、円形断面の筒状の胴部３と、該胴部３の端部に後付けで一体的に取り付けられる天板部５と、下端部に一体に備えられた底板部７とからなっている。
【００１４】
前記天板部５には、飲み口９が設けられている。飲み口９は、切込１１によって形成された口蓋１３によって閉塞されている。口蓋１３には、プルリップ１５が一体的に設けられている。従って、プルリップ１５を引き上げることによって、切込１１が引き裂かれ、口蓋１３が胴部３内に入り込んで飲み口９を開くことができる。
【００１５】
前記胴部３には、前記飲み口９に隣接して凹部１７が設けられている。凹部１７は、飲み手の下唇を当てるためのものである。従って、凹部１７の天板部５上端からの距離Ｌは、飲み手が飲み口９に口を当てたときに下唇が凹部１７に入り込み易い位置に設定されている。この距離Ｌは、子供の口の大きさに合わせておくのが望ましい。但し、大人の口の大きさに合わせて形成することも可能である。
【００１６】
前記凹部１７は、側面から見て円弧状に形成されると共に正面から見て楕円形に形成され、飲み手の下唇がちょうど収容されるようになっている。従って、凹部１７の高さＨ、深さＤ、幅Ｗは、飲み手の下唇に対応した大きさに設定されている。これらの寸法Ｈ，Ｄ，Ｗは、大人の唇あるいは子供の唇、さらにはその平均的な唇に応じて任意に設定することができる。
【００１７】
前記凹部１７の底部１９は、本実施例において、図１（ａ）のように直線的に形成されている。
【００１８】
従って、前記のようにして飲み口９を開け、飲み口９に口を当てて飲料であるジュース等を飲もうとするとき、下唇を凹部１７内に当てて収容させることができ、女性や子供等であっても、飲みこぼしを極めて少なくするか、防止することができる。
【００１９】
また、運転中などにおいては、胴部３を持ったときに、指で凹部１７を確認することにより、飲み口９を見ることなく知ることができ、飲み口９から正確に飲みとることができる。
【００２０】
前記飲料容器１の凹部形成方法は、図２のようにして行うことができる。図２は、飲料容器の凹部形成方法の説明図である。飲料容器１は、金属プレートである例えばアルミプレートやスチールプレートにより形成される。該飲料容器１に飲料を充填、密封した後に、外部から外型２１を押し付けて凹部１７を形成する。外型２１の先端２３は、凹部１７の側面方向のアール形状、正面方向の楕円形状に対応した断面形状に形成されている。この外型２１を押し付けることによって、凹部１７を容易に形成することができる。これによって、飲み口９に対応した位置に後から正確に凹部１７を形成することができる。
【００２１】
図３は、飲料容器の凹部形成方法の変形例を示している。この変形例では、円筒状の胴部を金属プレート、例えばアルミプレート、スチールプレート等の深しぼり加工により形成した後、天板部５を取り付ける前に一対の外型２５及び内型２７で胴部３の縁２９を内外で挟み込むことにより、凹部１７を形成した。外型２５には、凹部１７の形状に対応した外型凸部２９が設けられ、内型２７には、内型凹部３１が設けられている。これら外型２５、内型２７を胴部３の開口３３から挿入すると同時に、外型２５を胴部３の外側から対向して配置し、外型２５、内型２７を相互に押し付けることによって、胴部３の縁２９を内外で挟み込み、凹部１７を形成することができる。この場合は、胴部３内に、内容物であるジュースやコーヒーを充填する前に、製缶工程で凹部１７を正確に形成することができる。
【実施例２】
【００２２】
図４は、本発明の実施例２に係る飲料容器を示している。図４（ａ）は、飲料容器の平面図、（ｂ）は側面図、（ｃ）は正面図である。尚、実施例１と対応する構成部分には同符号を付して説明する。
【００２３】
本実施例では、天板部５Ａの高さを低くし、天板部５Ａの上端から凹部１７までの距離ＬＡを小さくしたものである。従って、子供や女性等であっても、凹部１７に下唇を合わせやすくなっている。
【実施例３】
【００２４】
図５は、実施例３に係る飲料容器を示し、（ａ）は平面図、（ｂ）は側面図、（ｃ）は正面図である。尚、実施例１と対応する構成部分には同符号を付して説明する。
【００２５】
本実施例では、胴部３Ｂの天板部５Ｂ側にテーパ部３５が設けられ、凹部１７Ｂがテーパ部３５に斜めに設けられている。この場合、図６のように、外型２１はテーパ部３５に対し直交する方向から斜めに押し付けられるものとなる。
【００２６】
尚、上記各実施例の外型２１に代えて、ローラ状の外型で凹部１７，１７Ｂを形成することも可能である。また、凹部１７，１７Ｂの底部１９は、平面から見て下唇に合わせて湾曲凹形状に形成することも可能である。
【００２７】
前記凹部１７，１７Ｂの下部側は、胴部３Ｂの下方側へ若干延ばすように形成することも可能である。また、飲料容器１，１Ｂとしては、樹脂、紙等によって形成することも可能である。
【図面の簡単な説明】
【００２８】
【図１】（ａ）は飲料容器の平面図、（ｂ）は同側面図、（ｃ）は同正面図である（実施例１）。
【図２】凹部形成方法を示す側面図である（実施例１）。
【図３】凹部形成方法の変形例を示す断面図である（実施例１）。
【図４】（ａ）は飲料容器の平面図、（ｂ）は同側面図、（ｃ）は同正面図である（実施例２）。
【図５】（ａ）は飲料容器の平面図、（ｂ）は同側面図、（ｃ）は同正面図である（実施例３）。
【図６】凹部形成方法を示す側面図である（実施例３）。
【図７】飲料容器の斜視図である（従来例）。
【図８】飲料容器の断面図である（従来例）。
【符号の説明】
【００２９】
１，１Ｂ  飲料容器
３，３Ｂ  胴部
５，５Ｂ  天板部
９  飲み口
１７，１７Ｂ  凹部
２１，２５  外型
２７  内型
【図１】
2005255231.tif 000003
【図２】
2005255231.tif 000004
【図３】
2005255231.tif 000005
【図４】
2005255231.tif 000006
【図５】
2005255231.tif 000007
【図６】
2005255231.tif 000008
【図７】
2005255231.tif 000009
【図８】
2005255231.tif 000010